(57)【特許請求の範囲】
【請求項１】
バッテリーと、該バッテリーにバッテリーターミナルを介して直付け固定されるヒュージブルリンクユニットと、該ヒュージブルリンクユニットの側部及び前記バッテリーの側部の間に配索されるケーブルと、を備え、
前記ヒュージブルリンクユニットは、前記バッテリーの側部に当接して回転モーメントを受ける回転防止リブと、同じく側部に当接して揺動を抑止する揺動抑止リブと、バッテリーターミナルに接続されるケーブル及びヒュージブルリンクユニットに接続される前記ケーブルを前記ヒュージブルリンクユニットの側部に対して押圧保持するケーブルホルダー部と、を一体化してなる支持部材を備える
ことを特徴とするヒュージブルリンクユニットとバッテリーとの支持構造。
【請求項２】
請求項１に記載のヒュージブルリンクユニットとバッテリーとの支持構造において、
前記支持部材は、前記ヒュージブルリンクユニットの側部に対して着脱自在に形成される
ことを特徴とするヒュージブルリンクユニットとバッテリーとの支持構造。
【請求項３】
請求項２に記載のヒュージブルリンクユニットとバッテリーとの支持構造において、
前記支持部材は、前記ヒュージブルリンクユニットの側部と前記バッテリーの側部との間隔に応じて前記回転防止リブ及び前記揺動抑止リブの長さを変えた複数種の中から選択される
ことを特徴とするヒュージブルリンクユニットとバッテリーとの支持構造。
【請求項４】
請求項１ないし請求項３いずれか記載のヒュージブルリンクユニットとバッテリーとの支持構造において、
前記支持部材は、前記回転防止リブと前記揺動抑止リブとを連続させて、前記バッテリーの側部に当接する部分が矩形枠状に形成される
ことを特徴とするヒュージブルリンクユニットとバッテリーとの支持構造。
【発明の詳細な説明】
【技術分野】
【０００１】
本発明は、バッテリーに直付けされるヒュージブルリンクユニットと、バッテリーとの支持構造に関する。
【背景技術】
【０００２】
バッテリーに直付けされるヒュージブルリンクユニットに関する技術は、下記特許文献１に開示されている。
【０００３】
図８において、ヒュージブルリンクユニット１は、電源側端子板２を有している。この電源側端子板２には、バッテリー３のバッテリーポスト４に設けられたバッテリープレス端子５に接続される突出端子６が形成されている。突出端子６の接続は、ボルト７及びナット８の締め付けにより行われている。
【０００４】
ヒュージブルリンクユニット１には、バッテリー３の上面部にのびる支持腕９が設けられている。支持腕９は剛性を有している。ヒュージブルリンクユニット１の側部には、電源側端子板２を覆うカバー１０がヒンジを介して一体に設けられている。このカバー１０には、バッテリー３の側部に当接する一対のガタ止めリブ１１が一体に形成されている。
【０００５】
ヒュージブルリンクユニット１の側部とバッテリー３の側部との間には、ケーブル１２が配索されている。ケーブル１２の端末には、バッテリープレス端子５と突出端子６との間に挟まれて接続されるケーブル端子１３が設けられている。ケーブル１２は、一対のガタ止めリブ１１の間を貫通するように配索されている。
【０００６】
上記構成において、自動車の走行中の振動により、ヒュージブルリンクユニット１が矢印Ｙ−Ｙ′方向に振られると、支持腕９がバッテリー３の上面部に当接し、これによってＹ方向の振れが防止されるようになっている。また、これと同時に一対のガタ止めリブ１１がバッテリー３の側部に当接し、これによってＹ′方向の振れが防止されるようになっている。
【０００７】
一方、ケーブル１２が矢印Ｘ−Ｘ′方向に振られると、このケーブル１２は一対のガタ止めリブ１１の存在によって振れの範囲が小さく規制されるようになっている。
【特許文献１】実開平２−７４７６２号公報
【発明の開示】
【発明が解決しようとする課題】
【０００８】
ところで、上記従来技術にあっては、矢印Ｙ−Ｙ′方向の振れに対して支持腕９と一対のガタ止めリブ１１とをそれぞれ設けなければならず、ヒュージブルリンクユニット１の構造が複雑化してしまうという問題点を有している。また、一対のガタ止めリブ１１の間でケーブル１２が矢印Ｘ−Ｘ′方向や矢印Ｙ−Ｙ′方向に振れてしまうと、ケーブル１２は一対のガタ止めリブ１１に当たり、これによってケーブル被覆が摩耗してしまうという問題点を有している。
【０００９】
この他、バッテリーポスト４を中心にしてヒュージブルリンクユニット１が回転するような方向の力（例えば接続時の回転方向の力）が加わった場合に、この力が大きいと、一対のガタ止めリブ１１の一方が倒れるような状態で撓んで破損が生じてしまう可能性があるという問題点を有している。
【００１０】
さらにこの他、標準バッテリーと寒冷地用バッテリーとの互換性を考えた場合、ヒュージブルリンクユニット１の側部とバッテリー３の側部との間隔が一定でなくなることから、バッテリーの違いによって一対のガタ止めリブ１１がバッテリー３の側部に当接しないという問題点を有している。
【００１１】
一対のガタ止めリブ１１が当接しない場合には、Ｙ′方向の振れを防止することができなくなってしまうことになる。また、上記回転方向の力を正規の位置で受けることもできなくなってしまうことになる。一対のガタ止めリブ１１は、ヒュージブルリンクユニット１の側部に一体化していることから、バッテリーの種類に合わせてヒュージブルリンクユニット１自体を交換しなければならなくなってしまうことになる。
【００１２】
本発明は、上述した事情に鑑みてなされたもので、構造を複雑化せずに、揺動を抑止したり、回転モーメントを受けたり、ケーブルの摩耗を防止したりすることが可能なヒュージブルリンクユニットとバッテリーとの支持構造を提供することを課題とする。
【課題を解決するための手段】
【００１３】
上記課題を解決するためになされた請求項１記載の本発明のヒュージブルリンクユニットとバッテリーとの支持構造は、バッテリーと、該バッテリーにバッテリーターミナルを介して直付け固定されるヒュージブルリンクユニットと、該ヒュージブルリンクユニットの側部及び前記バッテリーの側部の間に配索されるケーブルと、を備え、前記ヒュージブルリンクユニットは、前記バッテリーの側部に当接して回転モーメントを受ける回転防止リブと、同じく側部に当接して揺動を抑止する揺動抑止リブと、バッテリーターミナルに接続されるケーブル及びヒュージブルリンクユニットに接続される前記ケーブルを前記ヒュージブルリンクユニットの側部に対して押圧保持するケーブルホルダー部と、を一体化してなる支持部材を備えることを特徴としている。
【００１４】
このような特徴を有する本発明によれば、支持部材によって回り止め機能と揺動抑止機能とケーブル保持機能とが一箇所に集中する。
【００１５】
請求項２記載の本発明のヒュージブルリンクユニットとバッテリーとの支持構造は、請求項１に記載のヒュージブルリンクユニットとバッテリーとの支持構造において、前記支持部材は、前記ヒュージブルリンクユニットの側部に対して着脱自在に形成されることを特徴としている。
【００１６】
このような特徴を有する本発明によれば、支持部材を着脱自在にすることでヒュージブルリンクユニットの構造を複雑化する必要性がなくなる。
【００１７】
請求項３記載の本発明のヒュージブルリンクユニットとバッテリーとの支持構造は、請求項２に記載のヒュージブルリンクユニットとバッテリーとの支持構造において、前記支持部材は、前記ヒュージブルリンクユニットの側部と前記バッテリーの側部との間隔に応じて前記回転防止リブ及び前記揺動抑止リブの長さを変えた複数種の中から選択されることを特徴としている。
【００１８】
このような特徴を有する本発明によれば、ヒュージブルリンクユニットの側部とバッテリーの側部との間隔に応じて支持部材が使い分けられる。
【００１９】
請求項４記載の本発明のヒュージブルリンクユニットとバッテリーとの支持構造は、請求項１ないし請求項３いずれか記載のヒュージブルリンクユニットとバッテリーとの支持構造において、前記支持部材は、前記回転防止リブと前記揺動抑止リブとを連続させて、前記バッテリーの側部に当接する部分が矩形枠状に形成されることを特徴としている。
【００２０】
このような特徴を有する本発明によれば、回転防止リブ及び揺動抑止リブを連続させることでバッテリーの側部に当接する部分の強度が高まって破損し難くなる。
【発明の効果】
【００２１】
請求項１に記載された本発明によれば、構造を複雑化せずに、揺動を抑止したり、回転モーメントを受けたり、ケーブルの摩耗を防止したりすることができるという効果を奏する。
【００２２】
請求項２に記載された本発明によれば、ヒュージブルリンクユニットの構造の複雑化防止に寄与することができるという効果を奏する。
【００２３】
請求項３に記載された本発明によれば、例えば標準バッテリーと寒冷地用バッテリーのいずれにも対応することができるという効果を奏する。
【００２４】
請求項４に記載された本発明によれば、略角柱形状に一体化された支持部材の構造により、回り止め機能、揺動抑止機能、ケーブル保持機能部材を一箇所に集中させることとなり、回転防止リブ、揺動抑止リブ、ケーブルホルダー部の各部材を個々に単独で形成する場合に比べ、各々の肉厚を薄くしても負荷荷重に対し破損し難い構造を形成することができるという効果を奏する。
【発明を実施するための最良の形態】
【００２５】
以下、図面を参照しながら説明する。図１は本発明のヒュージブルリンクユニットとバッテリーとの支持構造の一実施の形態を示す図であり、図１（ａ）はヒュージブルリンクユニット及びバッテリーの側面図、図１（ｂ）はヒュージブルリンクユニット及びバッテリーの断面図である。
【００２６】
また、図２は支持部材を示す図であり、図２（ａ）は斜視図、図２（ｂ）は正面図、図２（ｃ）は側面図である。また、図３は支持部材の組み付け途中状態を示す斜視図、図４は支持部材を組み付け完了状態を示す斜視図、図５は支持部材の組み付け完了状態を下方から見た斜視図である。
【００２７】
また、図６は支持部材の機能を説明する模式的な図であり、図６（ａ）は揺動抑止機能とケーブル保持機能とに対する説明図、図６（ｂ）は回り止め機能に対する説明図、図６（ｃ）は回転防止リブ及び揺動抑止リブの斜視図である。
【００２８】
図１において、バッテリー２１の上面部に突出するバッテリーポスト２２には、バッテリーターミナル２３が接続されている（本明細書では、バッテリーポスト２２の突出する方向を上方向とする）。このバッテリーターミナル２３には、ヒュージブルリンクユニット２４とケーブル２５とが接続されている。ヒュージブルリンクユニット２４は、上記の如くバッテリーターミナル２３を介してバッテリー２１に接続されるものであることから、接続にケーブルを用いないタイプのもの、すなわちバッテリー直付けタイプのものとなっている。
【００２９】
ヒュージブルリンクユニット２４と共にバッテリーターミナル２３に接続されるケーブル２５は、ヒュージブルリンクユニット２４の側部及びバッテリー２１の側部２６の間となる隙間２７に配索されている。後に説明するがケーブル２５は、ヒュージブルリンクユニット２４の側部に対して押圧保持された状態で配索されている。
【００３０】
ヒュージブルリンクユニット２４には、上記ケーブル２５とは別のケーブル２８が接続されている。この別のケーブル２８は、ケーブル２５と並んで配索されている。また、別のケーブル２８は、ヒュージブルリンクユニット２４の側部に対して押圧保持された状態で配索されている。
【００３１】
バッテリーターミナル２３に接続される部分は、ヒュージブルリンクユニット２４が端子接続部２９、ケーブル２５がケーブル端子３０となっている。バッテリーターミナル２３には、スタッドボルト３１が設けられており、このスタッドボルト３１にケーブル端子３０及び端子接続部２９が順に挿通されてナット３２により締め付けられ、これによって電気的な接続と機械的な固定とがなされるようになっている。ケーブル端子３０及び端子接続部２９は、上記の接続によって重なり合い一体化することから、この部分の剛性は非常に高いものとなっている。
【００３２】
ヒュージブルリンクユニット２４は、導電性を有する金属板を打ち抜いて折り曲げ加工してなるバスバー３３と、絶縁性を有する合成樹脂材料を用いてのインサート成形によりバスバー３３の所定部分をモールドする第一ハウジング３４及び第二ハウジング３５と、絶縁性を有する合成樹脂製の複数種のカバー３６とを備えて構成されている。また、ヒュージブルリンクユニット２４は、例えば第二ハウジング３５のようなユニット構成部材に対して着脱自在となる、本発明の要旨となる支持部材３７を備えて構成されている。
【００３３】
バスバー３３は、第一ヒューズ回路構成体３８及び第二ヒューズ回路構成体３９と、これらを連結するとともに略中央に配置される回路体連結板（図示省略）と、第二ヒューズ回路構成体３９に連成される上記の端子接続部２９と、同じく第二ヒューズ回路構成体３９に連成される端子接続部（上記別のケーブル２８が接続される部分）を有している。バスバー３３は、第一ヒューズ回路構成体３８と回路体連結板との連結部分で折り曲げが施されるとともに、第二ヒューズ回路構成体３９と回路体連結板との連結部分で折り曲げが施されるようになっている。第一ヒューズ回路構成体３８は、第一ハウジング３４によってこの大半がモールドされている。また、第二ヒューズ回路構成体３９も同様に、第二ハウジング３５によってこの大半がモールドされている。
【００３４】
第二ハウジング３５には、支持部材３７を装着するための支持部材装着部４０が形成されている。支持部材装着部４０は、バッテリー２１の側部２６に対向する部分に形成されている。支持部材装着部４０は、バッテリー２１の側部２６に向けて突出する一対のリブ状構造部４１と、この各リブ状構造部４１の先端内側に形成される部材嵌合部４２とを有している（図３参照）。各リブ状構造部４１の先端は、支持部材３７がバッテリー２１の側部２６に向けて脱落しないようにするために平面視略Ｌ字状に形成されている（図３参照）。尚、特に符号を付さないが、各リブ状構造部４１の外面には、倒れ防止用の三角形リブが形成されている（図５参照）。
【００３５】
支持部材装着部４０は、ケーブル２５及び別のケーブル２８の配索位置に合わせて形成されている。ケーブル２５及び別のケーブル２８は、並んだ状態で支持部材装着部４０を上下方向に貫通するように配索されている。一対のリブ状構造部４１は、並んだ状態のケーブル２５及び別のケーブル２８のサイズに合わせて間隔が設定されている。
【００３６】
このような支持部材装着部４０に装着される支持部材３７は、ヒュージブルリンクユニット２４に対する回り止め機能及び揺動抑止機能と、ケーブル２５及び別のケーブル２８に対するケーブル保持機能とを有するようになっている。上記の各機能は、支持部材３７によって一箇所に集中するようになっている。
【００３７】
図２において、支持部材３７は、合成樹脂製の部材であって、バッテリー２１の側部２６（図１参照）に当接して回転モーメントを受ける一対の回転防止リブ４３と、同じく側部２６に当接して揺動を抑止する複数（本形態では４つ。一例であるものとする）の揺動抑止リブ４４と、ケーブル２５及び別のケーブル２８（図１参照）をヒュージブルリンクユニット２４（図１参照）の側部（第二ハウジング３５）に対して押圧保持するケーブルホルダー部４５と、ヒュージブルリンクユニット２４の支持部材装着部４０（図１参照）に嵌合する一対の嵌合部４６とを一体化させて図示のような形状に形成されている。
【００３８】
複数の揺動抑止リブ４４は、上下方向及び左右方向（水平方向）にのびるリブ状の形状に形成されている。また、複数の揺動抑止リブ４４は、所定の間隔をあけて互いが平行となるように配置形成されている。一方、一対の回転防止リブ４３は、上下方向にのびるリブ状の形状に形成されている。一対の回転防止リブ４３は、揺動抑止リブ４４と兼用で形成されている。また、一対の回転防止リブ４３は、この先端位置で互いが平行となるように配置形成されている（一対の回転防止リブ４３の間隔は、若干であるが先端位置に向けて次第に狭くなるようになっている）。
【００３９】
回転防止リブ４３と揺動抑止リブ４４は、連続するように形成されている。すなわち、バッテリー２１の側部２６（図１参照）に当接する部分（各リブの先端）が矩形枠状になるように形成されている。一対の回転防止リブ４３と一対の揺動抑止リブ４４は、連続することによって、この部分が矩形筒状となる形状になっている。
【００４０】
ケーブルホルダー部４５は、ケーブル２５及び別のケーブル２８（図１参照）を押圧する部分として形成されている。ケーブルホルダー部４５は、本形態において凸状の形状に形成されている。このようなケーブルホルダー部４５は、一対の嵌合部４６が支持部材装着部４０（図１参照）に嵌合した状態でケーブル２５及び別のケーブル２８の保持までが完了するようになっている。各嵌合部４６は、可撓性を有するアーム部４７と、このアーム部４７の先端で外向きに突出する係止突起部４８と、同じくアーム部４７に形成されて係止状態を解除する際に用いられる係止解除片４９とを有している。
【００４１】
一対の嵌合部４６は、支持部材装着部４０に嵌合する際に、各アーム部４７が内側に撓んで支持部材装着部４０を通過し、各アーム部４７が元の位置に戻ると係止突起部４８が支持部材装着部４０に引っ掛かるような構造になっている。尚、各係止解除片４９を摘むと、各アーム部４７が内側に撓むことから、これによって係止状態を解除することができるような構造になっている。
【００４２】
支持部材３７は、図３に示す如く、支持部材装着部４０を貫通するようにケーブル２５及び別のケーブル２８が配索された状態において、下方から上方に向けて移動させ支持部材装着部４０に装着すると、図４及び図５に示す如く、ケーブル２５及び別のケーブル２８がヒュージブルリンクユニット２４の側部（第二ハウジング３５）に対し押圧され、この押圧状態で保持される。支持部材３７が支持部材装着部４０に装着されると、矩形筒状となる回転防止リブ４３及び揺動抑止リブ４４は、ケーブル２５及び別のケーブル２８の上で支持部材装着部４０よりも外側に突出する。
【００４３】
図１において、バッテリー２１に対する接続等の組み付けが完了すると、支持部材３７は、矩形筒状となる回転防止リブ４３及び揺動抑止リブ４４の先端がバッテリー２１の側部２６に当接する。この時、ケーブル２５及び別のケーブル２８は、支持部材３７によって押圧保持された状態にある。
【００４４】
ケーブル２５及び別のケーブル２８が支持部材３７により押圧保持された状態にあると、重なり合うケーブル２５のケーブル端子３０とヒュージブルリンクユニット２４の端子接続部２９とが一層強く一体化し、この部分の剛性が非常に高いものとなって振れが生じ難くなる。従って、ケーブル２５及び別のケーブル２８がヒュージブルリンクユニット２４の側部（第二ハウジング３５）に対して押圧保持された状態にあると、振れに起因するケーブルの摩耗を防止することができる。
【００４５】
図６（ｃ）において、回転防止リブ４３及び揺動抑止リブ４４は、矩形筒状であることから、バッテリー２１の側部２６に当接する部分が矩形枠状の形状となり、図６（ｃ）中のＸ方向で、図６（ｂ）に示す如く、バッテリーポスト２２を中心とした回り止め効果及び水平方向の揺動に対する防止効果を有し、図６（ｃ）中のＹ方向の揺動に対しては、図６（ａ）に示す如く、矩形全面でバッテリー２１の側部２６に当接して揺動を抑止する。従って、回転防止リブ４３及び揺動抑止リブ４４は、複数の揺動方向に対してこの挙動を抑止し、応力集中等の不具合を緩和することができる。
【００４６】
以上、図１ないし図６を参照しながら説明してきたように、本発明によれば、構造を複雑化せずに、揺動を抑止したり、回転モーメントを受けたり、ケーブルの摩耗を防止したりすることができるという効果を奏する。
【００４７】
図７は標準バッテリーと寒冷地用バッテリーとに対する支持部材の使用説明図である。
【００４８】
図７において、例えば標準バッテリー５１とヒュージブルリンクユニット２４との間隔Ｌ１が、寒冷地用バッテリー５２とヒュージブルリンクユニット２４との間隔Ｌ２よりも広い場合（Ｌ１＞Ｌ２）、支持部材３７の回転防止リブ４３及び揺動抑止リブ４４の長さを短く形成した支持部材３７′を用いれば良いものとする。また、図７に示す如く、ケーブル２５よりも太いケーブル５３を配索する場合は、支持部材３７のケーブルホルダー部４５を変更した、別の支持部材３７′を用いれば良いものとする。このような使用方法によれば、ヒュージブルリンクユニット２４自体を交換して対応する必要性がないことから、コスト面で大きな効果を奏することができる。
【００４９】
尚、特に図示しないが、支持部材３７（３７′）を使用することにより、ケーブル２５等の振れが防止されることから、構成にケーブルプロテクタを備える必要性はないという効果も奏することができる。
【００５０】
この他、本発明は本発明の主旨を変えない範囲で種々変更実施可能なことは勿論である。
【図面の簡単な説明】
【００５１】
【図１】本発明のヒュージブルリンクユニットとバッテリーとの支持構造の一実施の形態を示す図であり、（ａ）はヒュージブルリンクユニット及びバッテリーの側面図、（ｂ）はヒュージブルリンクユニット及びバッテリーの断面図である。
【図２】支持部材を示す図であり、（ａ）は斜視図、（ｂ）は正面図、（ｃ）は側面図である。
【図３】支持部材の組み付け途中状態を示す斜視図である。
【図４】支持部材を組み付け完了状態を示す斜視図である。
【図５】支持部材の組み付け完了状態を下方から見た斜視図である。
【図６】支持部材の機能を説明する模式的な図であり、（ａ）は揺動抑止機能とケーブル保持機能とに対する説明図、（ｂ）は回り止め機能に対する説明図、（ｃ）は回転防止リブ及び揺動抑止リブの斜視図である。
【図７】標準バッテリーと寒冷地用バッテリーとに対する支持部材の使用説明図である。
【図８】従来例のヒュージブルリンクユニットとバッテリーとの支持構造の斜視図である。
【符号の説明】
【００５２】
２１  バッテリー
２２  バッテリーポスト
２３  バッテリーターミナル
２４  ヒュージブルリンクユニット
２５  ケーブル
２６  側部
２７  隙間
２８  別のケーブル
２９  端子接続部
３０  ケーブル端子
３１  スタッドボルト
３２  ナット
３３  バスバー
３４  第一ハウジング
３５  第二ハウジング
３６  カバー
３７  支持部材
３８  第一ヒューズ回路構成体
３９  第二ヒューズ回路構成体
４０  支持部材装着部
４１  リブ状構造部
４２  部材嵌合部
４３  回転防止リブ
４４  揺動抑止リブ
４５  ケーブルホルダー部
４６  嵌合部
４７  アーム部
４８  係止突起部
４９  係止解除片
５１  標準バッテリー
５２  寒冷地用バッテリー
【図１】
0004864845.tif 000002
【図２】
0004864845.tif 000003
【図３】
0004864845.tif 000004
【図４】
0004864845.tif 000005
【図５】
0004864845.tif 000006
【図６】
0004864845.tif 000007
【図７】
0004864845.tif 000008
【図８】
0004864845.tif 000009